(57)【要約】【目的】  組立て及び取付けを終えたエアコン据付け台にエアコン機器を載置する際の作業を簡単にし、作業者の負担及び危険度を軽減する。【構成】  エアコン機器を設置すべき設置面に取付けられる据付け台本体１０において、エアコン機器が載置される載置ベースをメインベース１３，１３として、これに分離式のサブベース２０，２０を組み合わせる。サブベース２０，２０は、メインベース１３，１３の上に平行状態で重ねられ、メインベース１３，１３から分離した状態でエアコン機器の下面に取付けられると共に、エアコン機器の下面に取付けられた状態でメインベース１３，１３上に載置されて結合固定される。エアコン機器へのベースのねじ止め作業を、据付け台本体１０が取付けられた屋外で行なわず、室内とか地上といった安全な場所で行うことができ、高所のような危険な場所での不自然な体勢による取付け作業を極力なくす。【選択図】  図１
2005274005.tif 000002
【特許請求の範囲】
【請求項１】
室外に設置されるエアコン機器を室外の所定位置へ設置する際に架台として使用されるエアコン据付け台であって、前記エアコン機器を設置すべき設置面に取付けられる据付け台本体と、該据付け台本体において前記エアコン機器が載置される載置ベースをメインベースとしてその上に平行状態で重ねられ、前記メインベースから分離した状態で前記エアコン機器の下面に取付けられると共に、前記エアコン機器の下面に取付けられた状態で前記メインベース上に載置されて固定されるサブベースとを具備することを特徴とするエアコン据付け台。
【請求項２】
前記メインベースは、開口部を上に向けた断面Ｕ字状の部材からなり、これに重ねられるサブベースは、前記メインベース内に嵌合する下方へ凸の突出部を幅方向中央部に有する請求項１に記載のエアコン据付け台。
【請求項３】
前記メインベース及びサブベースは、メインベース上にサブベースが重ねられたときに弾性変形を伴って係合してサブベースの分離を阻止するスナップ式の抜け止め構造を有する請求項１に記載のエアコン据付け台。
【発明の詳細な説明】
【技術分野】
【０００１】
本発明は、室外に設置されるエアコン機器を室外の所定場所へ設置するのに使用されるエアコン据付け台に関し、更に詳しくは、そのエアコン機器の取付け作業を簡単に行なえるようにしたエアコン据付け台に関する。
【背景技術】
【０００２】
ルームエアコンの室外機のような室外に設置されるエアコン機器を室外の所定場所へ設置する場合、エアコン据付け台と呼ばれる架台が使用される。このエアコン据付け台としては、エアコン機器の設置場所によって様々な形式のものが開発され市販されており、代表的なものは傾斜屋根用、壁面用、天井吊用（軒先用）、平地用などである。
【０００３】
いずれのエアコン据付け台も基本構造に大差なく、設置場所に応じたフレーム構造により、設置場所に両側１対の水平で平行な載置ベースを構築し、その上にエアコン機器を載置固定する構造になっている（特許文献１参照）。
【０００４】
【特許文献１】特開２００２−３４９９０８号
【０００５】
このようなエアコン据付け台に共通する問題の一つとして、組立・設置を終えたエアコン据付け台の支持アーム上にエアコン機器を取付ける際の作業の難しさ、危険性がある。即ち、このようなエアコン据付け台を使用してエアコン機器を設置するとき、先ず地上などの安全な場所でエアコン据付け台を組立て、組立てを終えたエアコン据付け台を機器設置場所へ設置し、その後で、そのエアコン据付け台の載置ベース上にエアコン機器を載せ固定する手順で作業が進められる。
【０００６】
ここで、エアコン据付け台は軽く、その組立作業や設置作業に格段の問題はない。しかし、エアコン機器の方は軽量化されたとはいえ依然として相当に重い。加えて、作業は工事費の抑制により一人で行なう場合が増加している。しかも、機器設置場所は屋外の高所といった危険なところが少なくない。更に、現状のエアコン据付け台では、エアコン機器を両側の載置ベース上に最小４カ所でクッションを介してネジ止めする必要があり、不自然な体勢で長時間の作業を強いられる。
【０００７】
これらのため、組立・設置を終えたエアコン据付け台の載置ベース上にエアコン機器を取付ける作業は簡単でなく、相当の重作業であることが多く、大きな危険を伴う場合も少なくない。つまり、これまでのエアコン据付け台では、組立、設置を終えた据付け台にエアコン機器を取付ける際、機器の設置場所によっては、高所のような危険な環境で、しかも不自然な体勢による長時間の作業を強いられることが少なくなく、これによる作業者の負担及び危険性が依然大きな問題なのである。
【発明の開示】
【発明が解決しようとする課題】
【０００８】
本発明はかかる事情に鑑みて創案されたものであり、エアコン機器を取付ける最終段階で、作業者の負担及び危険度を軽減でき、全体としてエアコン機器の据付け工事を大幅に簡略化できるエアコン据付け台を提供することを目的とする。
【課題を解決するための手段】
【０００９】
上記目的を達成するために、本発明に係るエアコン据付け台は、室外に設置されるエアコン機器を室外の所定位置へ設置する際に架台として使用されるエアコン据付け台であって、前記エアコン機器を設置すべき設置面に取付けられる据付け台本体と、該据付け台本体において前記エアコン機器が載置される載置ベース上をメインベースとしてこれに平行状態で重ねられ、前記メインベースから分離した状態で前記エアコン機器の下面に取付けられると共に、前記エアコン機器の下面に取付けられた状態で前記メインベース上に載置されて結合固定される分離式のサブベースとを備えている。
【００１０】
即ち、本発明に係るエアコン据付け台においては、エアコン機器が載置される載置ベースを分離・結合が可能な２段乃至多段構造とした。下段の載置ベースは据付け台を構成する固定のメインベースであり、上段の載置ベースはメインベースから分離可能で且つエアコン機器の下面に取付けられるサブベースである。こうしたベース構造を採用することにより、サブベースをメインベースから分離した状態でエアコン機器に予め取付けておくことができる。つまり、地上とか屋内といった安全な場所でエアコン機器へのベースの取付け作業を予め済ませることができるのである。そして、そのベースの取付け作業の後、取付けたサブベースをエアコン機器と共にメインベース上に載せ固定することにより、作業が完了する。その結果、高所のような危険な環境で、しかも不自然な体勢による長時間の取付け作業を強いられることがなくなり、簡単かつ安全にエアコン据付け工事を行なうことが可能となる。
【００１１】
ちなみに、メインベースに対するサブベースの固定は、従来の載置ベースに対するエアコン機器の固定と異なり、クッションを介在させる必要も、多数箇所でのネジ止めの必要もなく、嵌合や係合、差し込み、最小限の簡単なネジ止めなどにより、簡単かつ安全に行なうことができる。
【００１２】
メインベース及びサブベースの構造については、開口部を上に向けた断面Ｕ字状の部材によりメインベースを構成し、これに重ねられるサブベースの幅方向中央部に、前記メインベース内に嵌合する下方へ凸の突出部を設けるのが好ましい。この構造により、メインベース上のサブベースが幅方向で簡単に位置決め固定される。また、その突出部をサブベースの支持に使用することもできる。
【００１３】
また、メインベース上にサブベースが重ねられたときに弾性変形を伴って係合してサブベースの分離を阻止するスナップ式の抜け止め構造を採用することが好ましい。これにより、メインベース上にサブベースを載置するだけで、サブベースが固定され、エアコン機器の設置作業が一層簡略化される。
【発明の効果】
【００１４】
本発明に係るエアコンス据付け台は、エアコン機器を設置すべき設置面に取付けられる据付け台本体のエアコン載置ベースをメインベースとして、該メインベース上に平行状態で重ねられ、前記メインベースから分離した状態で前記エアコン機器の下面に取付けられると共に、前記エアコン機器の下面に取付けられた状態で前記メインベース上に載置されて固定されるサブベースを組み合わせることにより、エアコン機器へのベースの取付け作業を安全な地上や屋内で行なうことができ、その結果、高所のような危険な場所での不自然な体勢による機器取付け作業を極力減らすることができ、作業者の負担及び危険度を大幅に軽減することができる。
【発明を実施するための最良の形態】
【００１５】
以下に本発明の実施形態を図面に基づいて説明する。図１は本発明の第１実施形態を示すエアコン据付け台の斜視図、図２は同エアコン据付け台のベース部の正面図、図３は同ベース部の連結固定に使用される止め金具の３面図である。
【００１６】
第１実施形態に係るエアコン据付け台は、ルームエアコンの室外機を垂直な壁面に取付けるために使用される壁面用の据付け台である。この据付け台は、取付け面である垂直な壁面に固定される据付け台本体１０と、これに組み合わされる両側一対のサブベース２０，２０とを備えている。
【００１７】
据付け台本体１０は、後述する載置ベースの部分を除き、基本的には従来の壁面用のエアコン据付け台と同じ構成であり、取付け面である壁面に固定される水平な横材１１と、横材１１から下方へ延出する両側一対の垂直な柱材１２，１２と、柱材１２，１２の各下端部から正面側へ延出する両側一対の載置ベース１３，１３とを有している。
【００１８】
据付け台本体１０の横材１１は、断面が略Ｌ字形のアングルであり、水平部を正面側へ向け，その正面側の端縁部が係止部１１ａとして上方へ立ち上がっている。柱材１２，１２は、断面がＵ字形のアングルからなり、各上端部が前記横材１１の係止部１１ａに掛け止めされることにより、横材１１に懸吊支持される。これらの柱材１２，１２は、係止部１１ａに沿ってスライド自在であり、エアコン機器としての室外機の横幅に応じて間隔が調整され、調整位置にネジ１２ａ，１２ａにより固定される。
【００１９】
据付け台本体１０の載置ベース１３，１３は、柱材１２，１２の下端部にネジ１３ａ，１３ａなどを用いて片支持されたメインベースである。メインベース１３，１３は、断面がＵ字形のアングルからなり、開口部を上に向けて柱材１２，１２の下端部に固定されている。各メインベース１３の上面は略水平であるのに対し、底板部１３ｂは正面側へ向けて上方に傾斜しており、これに伴って両側の側板部１３ｃ，１３ｃは、正面側へ向けて高さが漸減した直角三角形状に形成されている。
【００２０】
従来のエアコン据付け台では、載置ベース１３，１３は、断面がＵ字形のアングルを開口部が下を向く姿勢で使用し、天板部に室外機の脚部を取付けるための長孔を設けるのに対し、第１実施形態に係るエアコン据付け台では、後述するサブベース２０，２０を支承する関係で、載置ベース１３，１３を上下逆向きにしてメインベースに使用するのである。これが、据付け台本体１０における最大の相違点である。
【００２１】
据付け台本体１０に組み合わされるサブベース２０，２０は、メインベース１３，１３の上に平行に載置される略短冊状の金属板からなり、メインベース１３，１３とほぼ同じ全長と、メインベース１３，１３より広い横幅を有している。各サブベース２０は、強度確保のために両側部に立ち上がり部２１，２１を有しており、立ち上がり部２１，２１に挟まれた本体部２２の幅方向中央部に下方へ凸の全長にわたる突出部２３を有している。突出部２３は、メインベース１３の両側の側板部１３ｃ，１３ｃ間に嵌合することにより、サブベース２０の幅方向の位置決めを行なう。
【００２２】
突出部２３には、室外機の脚部と連結するためのネジ４０，４０が貫通する前後２つの貫通孔２４，２４が設けられている。貫通孔２４，２４は、室外機の奥行きに応じてネジ位置を調節するために、サブベース２０の長手方向に沿った長孔になっている。また、突出部２３の基端部には舌状の凸部２５が設けられ、一方、先端部には幅方向の切り込み２６が設けられている。凸部２５は、縦材１２の下端部に設けられた水平な切り込み１２ｂに挿入されることにより、サブベース２０の基端部を据付け台本体１０に固定する。
【００２３】
一方、切り込み２５には止め金具３０が係合する。止め金具３０は、膨出部２３よりやや狭い横幅で側面視略コ字状のフックであり、サブベース２０の突出部２３とメインベース１３の底板部１３ｂを挟むことにより両者を固定する。即ち、止め金具３０は、上面部の先端に下方へ凸の舌状の係止部３１を有しており、該係止部３１が切り込み２６に挿入され、下面部のネジ孔３２に止めネジ３３をねじ込むことにより、サブベース２０の先端部をメインベース１３の先端部に固定する。
【００２４】
次に、第１実施形態に係るエアコン据付け台の使用方法、即ち、当該エアコン据付け台の使用方法を用いた室外機の据付け方法を説明する。
【００２５】
地上、室内などの安全な場所で、設置すべき室外機のサイズに合わせながら据付け台本体１０を組み立てる。据付け台本体１０の組立が終わると、その据付け台本体１０を、室外機の取付け面である垂直な壁面に固定する。具体的には、横材１１を壁面に固定する。この段階では、サブベース２０，２０は据付け台本体１０のメインベース１３，１３から分離されている。
【００２６】
これらの作業と並行して、地上、室内などの安全な場所で室外機の脚部にサブベース２０，２０をそれぞれネジ４０，４０によりクッション４１，４１を介して取付ける。最後に、壁面への取付けを終えた据付け台本体１０のメインベース１３，１３上に、室外機への取付けを終えたサブベース２０，２０を、その室外機と共に載置し固定する。
【００２７】
固定では、サブベース２０，２０の基端部に設けられた凸部２５，２５を縦材１２，１２の切り込み１２ｂ，１２ｂに挿入し、サブベース２０，２０とメインベース１３，１３の先端部同士を止め金具３０，３０で固定する。この固定作業は、据付け台の載置ベースに室外機の脚部を屋外で直接ねじ止めする作業と比べて簡単である。
【００２８】
即ち、第１実施形態に係るエアコン据付け台据付け台の場合、その組立てだけでなく、載置ベースに室外機の脚部をねじ止めする作業までを地上、室内といった安全な場所で行い、室外機を設置すべき屋外では、その載置ベースを組み合わせて固定するという簡単な作業だけを行なうのである。従って、室外機を設置する場所が高所のような危険な場所であっても、エアコン据付け台への室外機の取付け作業は短時間で簡単に行なうことができ、これにより作業者の負担及び危険度を著しく軽減することが可能となる。
【００２９】
図４は本発明の第２実施形態を示すエアコン据付け台の斜視図、図５は同エアコン据付け台に使用されるベース部の正面図である。
【００３０】
第２実施形態に係るエアコン据付け台は、ルームエアコンの室外機を傾斜した屋根上に取付けるために使用される傾斜屋根用の据付け台である。この据付け台は、取付け面である傾斜屋根面上に固定される据付け台本体１０と、これに組み合わされる両側一対のサブベース２０，２０とを備えている。
【００３１】
据付け台本体１０は、室外機を支持する両側の載置ベースの具体的な構造を除き、従来のエアコン据付け台と実質同じである。簡単に説明すると、この据付け台本体１０は、上流側及び下流側の横材１１，１１と、下流側の横材１１から上方へ延出した両側一対の柱材１２，１２と、柱材１２，１２の上端部と上側の横材１１ａとの間に掛け渡される両側一対のメインベース１３，１３と、メインベース１３，１３がほぼ水平姿勢を保つように屋根面の傾斜角度に応じて柱材１２，１２の傾斜角度を調節して固定する斜材１４，１４とを備えている。
【００３２】
両側の柱材１２，１２及びメインベース１３，１３が室外機の横幅に応じ上側の横材１１及び下側の横材１１に対して側方へスライドできることは、第１実施形態に係るエアコン据付け台や従来のエアコン据付け台と同じである。従来のエアコン据付け台と異なり、また第１実施形態に係るエアコン据付け台とも異なるのは、メインベース１３，１３に対するサブベース２０，２０の固定構造である。
【００３３】
即ち、第２実施形態に係るエアコン据付け台では、メインベース１３，１３は、開口部が上を向く断面Ｕ字形のアングルであり、両側の側板部１３ｃ，１３ｃの各内面に全長にわたる内側へ凸の係合部１３ｄ，１３ｄを有している。載置ベース１３，１３は、ここではアルミニウムなどの鋳造品であり、両側の側板部１３ｃ，１３ｃが両側へ倒れるのを容易にするために、底板部１３ｂを断面Ｖ状に形成している。底板部１３ｂの中央部にはサブベース２０，２０を支持する円弧状の支持部１３ｅ，１３ｅが設けられている。
【００３４】
サブベース２０，２０は、メインベース１３，１３と同様、アルミニウムなどの鋳造品である。これらのサブベース２０，２０は、平板状の本体部２２の下面に一体的に形成された突出部２７を有すると共に、突出部２７の両側に位置して本体部２２の下面に一体的に設けられた両側一対の係合部２８，２８を有している。突出部２７は、メインベース１３内に挿入され、幅方向で固定されると共に、支持部１３ｅ，１３ｅにより下方から支持される。これと、メインベース１３の両側の側板部１３ｃ，１３ｃによって本体部２２が下方から直接支持されることで、サブベース２０，２０はメインベース１３上に支持される。
【００３５】
両側の係合部２８，２８は、本体部２２から下方に延出し、下端部が内側へ突出した鉤状部であり、両側へ弾性変形が可能である。そして、突出部２７がメインベース１３内に挿入され、支持部１３ｅ，１３ｅに支持された状態、即ち、サブベース２０，２０がメインベース１３，１３上に完全に載置された状態で、係合部２８，２８は側板部１３ｃ，１３ｃの各内面に形成された係合部１３ｄ，１３ｄに係合することにより、サブベース２０，２０をメインベース１３，１３上に固定する。
【００３６】
即ち、サブベース２０の係合部２８，２８はメインベース１３の係合部１３ｄ，１３ｄと共にスナップ式の抜け止め構造を構成している。
【００３７】
なお、サブベース２０の本体部２２は、室外機の脚部と連結するためのネジが貫通する貫通孔２４として、全長にわたるスリットを幅方向中央部に有している。
【００３８】
次に、第２実施形態に係るエアコン据付け台の使用方法を説明する。
【００３９】
第２実施形態に係るエアコン据付け台でも、第１実施形態に係るエアコン据付け台と同様、地上、室内などの安全な場所で据付け台本体１０を組み立てる。具体的には、設置すべき室外機のサイズや、室外機の取付け面である屋根面の傾斜角度に合わせながら、据付け台本体１０を組み立てる。据付け台本体１０の組立が終わると、その据付け台本体１０を、傾斜した屋根面上に固定する。この段階では、サブベース２０，２０は据付け台本体１０のメインベース１３，１３から分離されている。
【００４０】
これらの作業と並行して、地上、室内などの安全な場所で室外機の脚部にサブベース２０，２０をそれぞれネジによりクッション４１，４１を介して取付ける。最後に、屋根面への取付けを終えた据付け台本体１０のメインベース１３，１３上に、室外機への取付けを終えたサブベース２０，２０を、その室外機と共に載置し固定する。
【００４１】
固定では、サブベース２０，２０を据付け台本体１０のメインベース１３，１３上に載せるだけである。これにより、各サブベース２０の突出部２７がメインベース１３内に挿入され、支持部１３ｅ，１３ｅに支持されると共に、係合部２８，２８が挿入過程で弾性変形し、挿入を終えた段階で、側板部１３ｃ，１３ｃの各内面に形成された係合部１３ｄ，１３ｄに係合して、サブベース２０，２０が抜け止めされる。
【００４２】
この固定作業は、屋外でエアコン据付け台の載置ベースに室外機の脚部を直接固定する作業と比べて簡単であるばかりでなく、第１実施形態に係るエアコン据付け台を使用する場合よりも更に簡単で安全である。即ち、第１実施形態に係るエアコン据付け台で必要とされた差し込み操作も、止め金具３０，３０による固定操作も不要である。
【００４３】
図６は本発明の第３実施形態を示すエアコン据付け台の斜視図である。
【００４４】
第３実施形態に係るエアコン据付け台は、ルームエアコンの室外機をベランダの軒先などの天井面に吊り下げるために使用される天井吊用の据付け台である。この据付け台も他の実施形態に係るエアコン据付け台と同様、取付け面である天井面に固定される据付け台本体１０と、これに組み合わされる両側一対のサブベース２０，２０とを備えている。
【００４５】
据付け台本体１０は、室外機を支持する両側の載置ベースの具体的な構造を除き、従来のエアコン据付け台と実質同じである。簡単に説明すると、この据付け台本体１０は、天井面に固定される前後２本の横材１１，１１と、各横材１１から下方へ延出した両側の吊り下げ式の柱材１２，１２と、前後の柱材１２，１２の下端部間に掛け渡される両側一対のメインベース１３，１３とを備えている。
【００４６】
据付け台本体１０のメインベース１３，１３及びこれに載置されるサブベース２０，２０は、第２実施形態に係るエアコン据付け台と同様、ワンタッチ操作のスナップ式はめ込み構造である。
【００４７】
第３実施形態に係るエアコン据付け台でも、第２実施形態に係るエアコン据付け台と同様、室外機へのベースのねじ止め作業を地面や室内で行なうことができる。このため、高所のような危険な場所での不自然な体勢による作業を最小限に制限でき、室外機を所定の設置場所へ簡単かつ安全に取付けることができる。
【００４８】
図７は本発明の第４実施形態を示すエアコン据付け台の斜視図である。
【００４９】
第４実施形態に係るエアコン据付け台は、ルームエアコンの室外機を水平面上に設置するために使用される平地用の据付け台である。この据付け台も他の実施形態に係るエアコン据付け台と同様、取付け面である天井面に固定される据付け台本体１０と、これに組み合わされる両側一対のサブベース２０，２０とを備えている。
【００５０】
据付け台本体１０は、室外機を支持する両側の載置ベースの具体的な構造を除き、従来のエアコン据付け台と実質同じである。簡単に説明すると、この据付け台本体１０は、前後の横材１１，１１と、横材１１，１１を両側で連結する両側の縦材１５，１５と、横材１１，１１及び縦材１５，１５を四隅部で支持する４本の垂直な柱材１２，１２・・と、縦材１５，１５の間で前後の横材１１，１１間に掛け渡される両側一対のメインベース１３，１３とを備えている。
【００５１】
据付け台本体１０のメインベース１３，１３及びこれに載置されるサブベース２０，２０は、第１実施形態に係るエアコン据付け台と同様、プレスで成形されたた両者を止め金具３０を用いて固定する構造であり、より詳しくは、それぞれの両端部同士を止め金具３０，３０により横材１１，１１と共に連結する構造になっている。即ち、第１実施形態に係るエアコン据付け台では、基端部が差し込みによる固定、先端部が止め金具３０による固定とされていたが、第４実施形態に係るエアコン据付け台では、両端部とも止め金具３０により固定されるのである。
【００５２】
第４実施形態に係るエアコン据付け台でも、他の第２実施形態に係るエアコン据付け台と同様、室外機へのベースのねじ止め作業を地面や室内で安全に行なうことができる。このため、高所のような危険な場所での不自然な体勢による作業を最小限に制限でき、室外機を所定の設置場所へ簡単かつ安全に取付けることができる。
【００５３】
第２，３実施形態に係るエアコン据付け台では、据付け台本体１０のメインベース１３，１３及びこれに重ねられるサブベース２０，２０は鋳造品としたが、板材を折り曲げた成形品でもよい。第４実施形態に係るエアコン据付け台は、室外機を２段に設置するが、１段型であってもよいことは言うまでもない。
【図面の簡単な説明】
【００５４】
【図１】本発明の第１実施形態を示すエアコン据付け台の斜視図である。
【図２】同エアコン据付け台のベース部の正面図である。
【図３】同ベース部の連結固定に使用される止め金具の３面図で、（ａ）は側面図、（ｂ）は正面図、（ｃ）は底面図である。
【図４】本発明の第２実施形態を示すエアコン据付け台の斜視図である。
【図５】（ａ）（ｂ）は同エアコン据付け台に使用されるベース部の正面図である。
【図６】本発明の第３実施形態を示すエアコン据付け台の斜視図である。
【図７】本発明の第４実施形態を示すエアコン据付け台の斜視図である。
【符号の説明】
【００５５】
１０  据付け台本体
１１  横材
１２  柱材
１２ｂ  切り込み
１３  メインベース
１３ｂ  底板部
１３ｃ  側板部
１３ｄ  係合部
１３ｅ  支持部
１４  斜材
１５  縦材
２０  
２１  立ち上がり部
２２  本体部
２３  突出部
２４  貫通孔
２５  凸部
２６  切り込み
２７  突出部
２８  係合部
３０  止め金具
４０  ネジ
４１  クッション
【図１】
2005274005.tif 000003
【図２】
2005274005.tif 000004
【図３】
2005274005.tif 000005
【図４】
2005274005.tif 000006
【図５】
2005274005.tif 000007
【図６】
2005274005.tif 000008
【図７】
2005274005.tif 000009